(57)【要約】【課題】手芸材料糸として斬新さに富み、変形かつ復元可能な性能を付与して種々の手芸製品の制作に幅を持たせ、製品の多様化を促進する。【解決手段】リリヤーン編みあるいは撚合、被覆，ラッセル編構造を利用した手芸材料糸であって、綿，アクリル，ナイロン等の素材ａに可撓性ポリオレフィン系線条体ｂを少なくとも一部混用または併用して手芸材料糸を作成する。  なお、ポリオレフィン系線条体は、上記手芸材料糸の作成において他の素材と併用させてもよく、また、ポリオレフィン系線条体を芯として外周に綿，アクリル，ナイロン等を被覆し、あるいは互いに絡ませて併用する。【選択図】        図１
0003125652.tif 000002
【実用新案登録請求の範囲】
【請求項１】
編み構造又は撚糸構造からなる手芸材料糸において、構成素材の一部に可撓性ポリオレフィン系線条体からなるフィラメント細条を混入し併用したことを特徴とするポリオレフィン系線条体を使用した手芸材料糸。
【請求項２】
スパイラルリリヤーン編み構造からなる手芸材料糸であって、前記スパイラルリリヤーン編み糸の一部に可撓性ポリオレフィン系線条体からなるフィラメント細条が混入され併用されていることを特徴とする請求項１記載のポリオレフィン系線条体を使用した手芸材料糸。
【請求項３】
リリヤーン編み構造からなる手芸材料糸であって、該リリヤーン編み構造が可撓性ポリオレフィン系線条体を芯糸とし、その外面を天然繊維，合成繊維より選ばれた繊維で被覆せしめた被覆糸により編成され形成されていることを特徴とする請求項１記載のポリオレフィン系線条体を使用した手芸材料糸。
【請求項４】
複数の単糸を撚り合わせた撚糸構造からなり、該単糸の一部に可撓性ポリオレフィン系線条体が混用され撚合されていることを特徴とする請求項１記載のポリオレフィン系線条体を使用した手芸材料糸。
【請求項５】
両側の編目間にジグザグ状に緯糸を挿入し編成してなるラッセル編による扁平糸であって、該糸の両側の編目が合成繊維フィラメントに可撓性ポリオレフィン系線条体からなるフィラメント細条を絡ませ編成されていることを特徴とするポリオレフィン系線条体を使用した手芸材料糸。
【考案の詳細な説明】
【技術分野】
【０００１】
本考案は耐水性，復元性を有する可撓性ポリオレフィン系線条体、例えばポリエチレンを主成分とする線条体を手芸材料糸素材に用いた変形自在でかつ復元可能な特性を具備する手芸材料糸に関するものである。
【背景技術】
【０００２】
従来、手芸材料糸には綿糸，アクリル糸，ナイロン糸などの天然繊維糸と，合成繊維糸やそれらの意匠糸が一般に用いられて来たが、近時、テクノロート（登録商標）と呼ばれるポリエチレン系線条体が出現し、その形状保持性能に着目し、被服，服飾品等の手芸分野への取り入れが試みられ、また、これを従来のワイヤ材に代えてリボン，紐あるいは被服の襟部等の形状保持芯材として用いることが提案されて来た。（例えば特許文献１，２参照）
【特許文献１】実用新案登録第３０９６９７２号公報
【特許文献２】実用新案登録第３０９７０４５号公報
【考案の開示】
【考案が解決しようとする課題】
【０００３】
しかし、上記の提案は何れも被服，テープ，紐などに形状保持のためポリオレフィン系線条体を使用するものであり、手芸に用いられる手芸用糸自体に関しては未だ殆ど提起されるに至っていない。
【０００４】
そこで、本考案は上記ポリオレフィン系線条体を手芸材料の糸に用いることに着目し、特にリリヤーン編みや撚合，ラッセル編み等を併用することにより手芸材料糸としての斬新さに富み、応用範囲が広く変形かつ復元可能で形状保持性能を備えた新規な糸構造を提供することを目的とするものである。
【課題を解決するための手段】
【０００５】
即ち、本考案は上記目的に適合すべく考案されたもので、請求項１は基本的に編み構造又は撚糸構造からなる手芸材料糸において、少なくともその構成素材の一部に可撓性ポリオレフィン系線条体からなるフィラメント細条を用いたことを特徴とする。
【０００６】
請求項２はスパイラルリリヤーン編み構造からなる手芸材料糸であって、前記スパイラルリリヤーン編み素材の一部に可撓性ポリオレフィン系線条体からなるフィラメント細条を併用したことを特徴とする。
【０００７】
請求項３はリリヤーン編み構造からなる手芸材料糸であって、該リリヤーン編み構造を可撓性ポリオレフィン系線条体を芯糸とし、その外面を天然繊維，合成繊維より選ばれた繊維で被覆せしめた被覆糸により形成せしめたことを特徴とする。
【０００８】
請求項４は複数の単糸を撚り合わせ形成した撚糸構造の手芸材料糸であって、少なくとも前記単糸の一部に可撓性ポリオレフィン系線条体を混用し、撚り合わせたことを特徴とする。
【０００９】
請求項５は両側の鎖編目間にジグザグ状に緯糸を挿入し編成してなるラッセル編による扁平状の手芸材料糸であって、該糸の両側の鎖編目に合成繊維フィラメントに可撓性ポリオレフィン系線条体からなるフィラメント細条を絡ませて編成せしめたことを特徴とする。
【考案の効果】
【００１０】
本考案手芸材料糸は材料構成の一部に可撓性ポリオレフィン系線条体、特にそのフィラメント細条を利用したものであり、糸にポリオレフィン線条体が使用されていることから、不定方向に制約なく、変形自在に折り曲げが可能であり、しかも折れ曲がった形態をそのまま保持することができるため、手芸による帽子など各種装飾品やセーター等の被服の作成にあたって人為操作が容易であり、かつ形状保持効果を具備するため組織ずれも起こらず、手芸，クラフト等に幅広く実用性を有し、極めて斬新性に富む手芸製品作成効果が期待される。
【考案を実施するための最良の形態】
【００１１】
以下、更に本考案手芸材料糸の具体的な実施態様を図面に基づいて説明する。
【００１２】
図１〜図４は本考案に係る手芸材料糸の各例を示し、各図においてａは綿，絹等の天然繊維，アクリル，ポリエステル，ナイロン等の合成繊維から選ばれる1種又は2種以上の繊維糸であり、ｂは本考案の特徴をなす上記繊維糸と併用される変形自在で、かつ形状保持性に優れると共に復元性を有する可撓性ポリオレフィン系線条体で、実用的にはテクノロート（登録商標）で知られるポリエチレンを主成分とするフィラメント細条が用いられる。なお、用いられるポリオレフィン系線条体の繊度としては１５０〜７００デニール、通常、３００〜５００デニール程度であり、勿論、必要に応じ選定可能であるが、余り細くては形状保持効果が低下し、好ましくない。
【００１３】
そして、本考案は手芸材料糸として構成するにあたり、上記各素材をリリヤーン編み構造あるいは撚糸または撚合糸あるいはラッセル編みによる扁平構造糸の素材として併用するが、天然または合成繊維糸によりリリヤーン編みで形成される糸構造において、上記ポリオレフィン系線条体を併用する場合には、図１に示すように綿，アクリル等の素材ａで形成されたスパイラルリリヤーン編み構造においてポリオレフィン系線条体ｂを少なくともその一部として併用し、全体としての手芸材料糸を形成している。ここではポリオレフィン系線条体ｂは直接、編まれるのでポリオレフィン系線条体の混率が高くなることは否めない。
【００１４】
図２はラッセル機を用いて所要間隔の両側の編目、通常、鎖編目間にジグザグ状に緯糸を挿入し、扁平構造に形成した扁平状手芸材料糸であり、両側の編目を形成する糸に本考案の特徴とするポリオレフィン系線条体ｂが併用され、綿，ナイロン等の素材ａによる編目形成糸に対し覆い被さるように、又は絡まるようにして１本乃至数本が編み込まれている。この場合、両側の編目間隔によって糸の扁平状態が決まり、手芸製品化の態様に応じて適宜、選定される。
【００１５】
また、図３は上記ポリオレフィン系線条体を撚糸構成材の一部として併用した例であり、綿糸，アクリル，ナイロン等の単糸を２本以上撚り合わせた撚糸、あるいは更に該撚り合わせた撚糸を下撚りと逆方向に撚り合わせて撚合した撚合糸構造において、前記綿糸，アクリル、ナイロン等の素材単糸ａに１本又は複数本のポリオレフィン系線条体ｂを併用し、引き揃えて撚り合わせている。この場合、併用するポリオレフィン系線条体は同じ太さに限らず太さの異なるものを使用するようにしてもよく、また三子撚りに限らず、４本，６本など、適宜本数を撚り合わせてもよく、そして併用するポリオレフィン系線条体の本数も適宜本数を選定してもよい、このポリオレフィン系線条体を併用した撚糸または撚り合わせ糸は、形状保持性を有し、各種手芸製品に幅広く使用することができる。
【００１６】
図４はポリオレフィン系線条体ｂを芯糸とし、その外周に綿，アクリル，ナイロン等より選ばれた素材単糸ａ又は繊維を被覆した、所謂、カバリング糸であり、芯糸のポリオレフィン系線条体ｂには１本に限らず複数本使用することも好ましい。
【００１７】
また、外周に被覆する単糸ａとして、ナイロン等のフィラメントと共に一部、ポリオレフィン系線状体を混用することも変化を増し効果的である。
【００１８】
なお、上記のカバリング糸は単独の糸使用でも、またリリヤーン編構造に用い、撚合糸に用いて手芸，装飾品などに作成したとき、形状保持に頗る有効である。
【００１９】
以上、ポリオレフィン系線状体を併用した手芸材料糸の各例を挙示したが、本考案は上記各例に限らず各種手芸による製品や、服飾品を構成するに際し、これらの材料糸に適宜、ポリオレフィン系線状体を併用し斬新性に富み、かつ形状保持性にすぐれた手芸製品の創作を図ることも可能である。
【００２０】
なお、上述した各手芸材料糸においてリリヤーン編み構造は既知のリリヤーン編機により、また撚り合わせ構造は既知の撚り合わせ機により更に扁平状のラッセル編みは既知のラッセル編機により何れも容易に作成することができる。
【産業上の利用可能性】
【００２１】
本考案手芸材料糸は、手芸，クラフトによる帽子等を始めとする各種の装飾品やセーター等、被服の手編み制作に使用して頗る有効である。
【図面の簡単な説明】
【００２２】
【図１】本考案に係る手芸材料糸の1例を示す構造拡大図である。
【図２】本考案に係る手芸材料糸の他の例を示す構造拡大図である。
【図３】本考案に係る手芸材料糸のもう１つの例として撚合構造を示す構造拡大図である。
【図４】本考案手芸材料糸としてカバリング糸の例を示す拡大図である。
【符号の説明】
【００２３】
ａ：綿，ナイロン等の素材
ｂ：可撓性ポリオレフィン系線条体
【図１】
0003125652.tif 000003
【図２】
0003125652.tif 000004
【図３】
0003125652.tif 000005
【図４】
0003125652.tif 000006